(57)【要約】【課題】この発明は、定着ローラまたは定着装置の近傍の雰囲気温度が低温の場合や定着ロ−ラの周速が速い場合に定着ローラの表面温度が下限温度以下となり、定着不良が発生して良好な画像が得られないという課題を解決しようとするものである。【解決手段】この発明は、被加熱体近傍の雰囲気温度を検知する雰囲気温度検知手段を有し、制御手段１２が雰囲気温度検知手段の検知温度に基づき補助電源１０から加熱手段５への電力供給を制御するものである。【選択図】  図１
2004259616.tif 000002
【特許請求の範囲】
【請求項１】
被加熱体を加熱する加熱手段と、商用電源を用いて電力を前記加熱手段に供給する主電源と、商用電源より充電可能な補助電源と、前記被加熱体の温度を検知する第１の検知手段と、前記被加熱体近傍の雰囲気温度を検知する第２の検知手段とを有する加熱装置において、前記第２の検知手段の検知温度に基づき前記補助電源から前記加熱手段への電力供給を制御する制御手段を備えたことを特徴とする加熱装置。
【請求項２】
請求項１記載の加熱装置において、前記制御手段は、前記第１の検知手段の検知温度及び前記第２の検知手段の検知温度に基づき前記補助電源から前記加熱手段への電力供給を制御することを特徴とする加熱装置。
【請求項３】
請求項１または２記載の加熱装置において、前記制御手段は、前記第２の検知手段の検知温度が低いほど前記補助電源から前記加熱手段への電力供給量を大きくすることを特徴とする加熱装置。
【請求項４】
移動速度の変更可能な被加熱体を加熱する加熱手段と、商用電源を用いて電力を前記加熱手段に供給する主電源と、商用電源より充電可能な補助電源と、前記被加熱体の温度を検知する検知手段とを有する加熱装置において、前記制御手段は、前記被加熱体の移動速度に基づき前記補助電源から前記加熱手段への電力供給を制御する制御手段を備えたことを特徴とする加熱装置。
【請求項５】
請求項４記載の加熱装置において、前記制御手段は、前記検知手段の検知温度及び前記被加熱体の移動速度に基づき前記補助電源から前記加熱手段への電力供給を制御することを特徴とする加熱装置。
【請求項６】
請求項４または５記載の加熱装置において、前記制御手段は、前記被加熱体の移動速度が速いほど前記補助電源から前記加熱手段への電力供給量を大きくすることを特徴とする加熱装置。
【請求項７】
請求項１〜６のいずれか１つに記載の加熱装置において、前記補助電源として接続を変更可能な複数のキャパシタを備えたことを特徴とする加熱装置。
【請求項８】
請求項１〜７のいずれか１つに記載の加熱装置を有し、この加熱装置により定着部材を加熱することを特徴とする定着装置。
【請求項９】
請求項８記載の定着装置を有し、この定着装置により記録材上のトナーを記録材に定着させることを特徴とする画像形成装置。
【発明の詳細な説明】
【０００１】
【発明の属する技術分野】
本発明は加熱装置、定着装置、及び複写機，プリンタ，ファクシミリ等の画像形成装置に関する。
【０００２】
【従来の技術】
画像形成装置は、省電力化を図る上で、画像形成後待機時の消費エネルギ−を削減する必要がある。このため、画像形成装置の定着装置における定着ロ−ラの待機時温度を低い値に押さえる必要があり、画像形成時に定着ロ−ラの温度が待機時温度から定着開始温度へ復帰する際の待ち時間を低減するために定着ロ−ラの熱容量を下げる必要がある。
【０００３】
しかし、熱容量を下げた定着ロ−ラは、画像形成時に記録材上のトナーを加熱して記録材に定着させる際に記録材及びトナーに熱量を奪われると、熱容量の大きい定着ロ−ラと比較して表面温度が速く降下して、定着性を満足する下限温度以下となり、定着不良が発生しやすい。
【０００４】
そこで、定着装置は、このような不具合を解決するために、充電可能な補助電源を画像形成装置内に設けて画像形成時に補助電源から定着ヒ−タに電力供給を行って定着ヒ−タにより定着ロ−ラを加熱することにより、画像形成時における定着ロ−ラの表面温度の降下を防止し、かつ、補助電源の容量には上限があることから節約のために補助電源から定着ヒ−タへの電力供給は定着性を満足する下限温度以下となる場合のみとするものがある。
【０００５】
【発明が解決しようとする課題】
上記定着装置では、画像形成装置近傍の雰囲気温度（例えば定着ローラまたは定着装置の近傍の雰囲気温度など）が低温の場合には、上記雰囲気温度が常温の場合と比較して上記下限温度が上昇する。このため、上記雰囲気温度が低温の場合には定着ローラの表面温度が下限温度以下となり、定着不良が発生して良好な画像が得られない。
【０００６】
また、定着ロ−ラの周速が変更可能な定着装置においては、定着ロ−ラの周速が速い場合には、定着性を満足する下限温度は、定着ロ−ラの周速が遅い場合と比較して上昇するために定着ローラの表面温度が下限温度以下となり、定着不良が発生して良好な画像が得られない。
【０００７】
また、補助電源に二次電池である一般的なニッケル−カドミウム電池を用いた場合には、ニッケル−カドミウム電池の急速充電を行っても数時間の時間を要し、ニッケル−カドミウム電池の充電に時間がかかりすぎる。さらに、ニッケル−カドミウム電池は、充放電の繰り返し回数が５００から１０００回であるため、加熱時用補助電源としては寿命が短い。
【０００８】
本発明の目的は、雰囲気温度が低下しても被加熱体の温度が下限温度以下とならなず、補助電源の充電時間が短くて補助電源の寿命が長い加熱装置を提供することを目的とする。
本発明の他の目的は、雰囲気温度が低下しても定着不良が発生しない定着装置を提供することを目的とする。
本発明の他の目的は、雰囲気温度が低下しても良好な画像が得られる画像形成装置を提供することを目的とする。
【０００９】
【課題を解決するための手段】
上記目的を達成するため、請求項１に係る発明は、被加熱体を加熱する加熱手段と、商用電源を用いて電力を前記加熱手段に供給する主電源と、商用電源より充電可能な補助電源と、前記被加熱体の温度を検知する第１の検知手段と、前記被加熱体近傍の雰囲気温度を検知する第２の検知手段とを有する加熱装置において、前記第２の検知手段の検知温度に基づき前記補助電源から前記加熱手段への電力供給を制御する制御手段を備えたものである。
【００１０】
請求項２に係る発明は、請求項１記載の加熱装置において、前記制御手段は、前記第１の検知手段の検知温度及び前記第２の検知手段の検知温度に基づき前記補助電源から前記加熱手段への電力供給を制御するものである。
【００１１】
請求項３に係る発明は、請求項１または２記載の加熱装置において、前記制御手段は、前記第２の検知手段の検知温度が低いほど前記補助電源から前記加熱手段への電力供給量を大きくするものである。
【００１２】
請求項４に係る発明は、移動速度の変更可能な被加熱体を加熱する加熱手段と、商用電源を用いて電力を前記加熱手段に供給する主電源と、商用電源より充電可能な補助電源と、前記被加熱体の温度を検知する検知手段とを有する加熱装置において、前記制御手段は、前記被加熱体の移動速度に基づき前記補助電源から前記加熱手段への電力供給を制御する制御手段を備えたものである。
【００１３】
請求項５に係る発明は、請求項４記載の加熱装置において、前記制御手段は、前記検知手段の検知温度及び前記被加熱体の移動速度に基づき前記補助電源から前記加熱手段への電力供給を制御するものである。
【００１４】
請求項６に係る発明は、請求項４または５記載の加熱装置において、前記制御手段は、前記被加熱体の移動速度が速いほど前記補助電源から前記加熱手段への電力供給量を大きくするものである。
【００１５】
請求項７に係る発明は、請求項１〜６のいずれか１つに記載の加熱装置において、前記補助電源として接続を変更可能な複数のキャパシタを備えたものである。
【００１６】
請求項８に係る発明は、請求項１〜７のいずれか１つに記載の加熱装置を有し、この加熱装置により定着部材を加熱するものである。
【００１７】
請求項９に係る発明は、請求項８記載の定着装置を有し、この定着装置により記録材上のトナーを記録材に定着させるものである。
【００１８】
【発明の実施の形態】
図１は本発明の実施形態１における加熱装置の回路構成を示し、図２は該実施形態１を示す。この実施形態１は、加熱装置を有する定着装置の一形態であり、画像形成装置に用いられる。
図２に示すように、定着部材としての定着ロ−ラ１には加圧部材としての加圧ロ−ラ２と定着分離爪３が一定圧で当接され、定着ロ−ラ１及び加圧ロ−ラ２は画像形成時には図示しない駆動部により回転駆動される。加熱手段としての定着ヒ−タは、例えば２本のヒ−タ４、５で構成され、定着ロ−ラ１の内部に設置される。ヒ−タ４は主電源から電力が供給され、ヒ−タ５は補助電源から電力が供給される。
【００１９】
定着ロ−ラ１の表面温度は温度検知手段６により検知され、画像形成装置近傍の雰囲気温度（例えば定着ロ−ラ１の近傍の雰囲気温度もしくは本実施形態１の定着装置の近傍の雰囲気温度など）を検知する雰囲気温度検知手段が画像形成装置内に設けられ、後述のように温度検知手段６及び上記雰囲気温度検知手段の検知温度に基づいてヒ−タ４、５の点灯が制御されて定着ロ−ラ１の表面温度が所定の温度に制御される。
【００２０】
本実施形態１の定着装置は画像形成装置本体内にセットされ、この画像形成装置本体は記録紙等の記録材７上にトナー像８を形成する。この記録材７は本実施形態１の定着装置へ搬送され、記録材７が定着ロ−ラ１及び加圧ロ−ラ２のニップ部を通過する際に記録材７上の未定着画像であるトナー像８が加熱溶融されて記録材７に定着される。
【００２１】
本実施形態１の定着装置における加熱装置は、図１に示すように、被加熱体である定着ロ−ラ１を加熱手段１３としてのヒ−タ４、５により加熱する装置であり、主電源９は画像形成装置の設置場所に備えられているコンセント等につながれている商用電源からの交流電力をヒ−タ４や充電器１４に供給する。補助電源１０は充電可能な装置であり、制御部１１及び充放電切替手段１２は該加熱装置を制御する制御手段を構成する。制御部１１は主電源９からヒータ４への電力供給量を定着ロ−ラ１の表面温度が定着可能な設定温度になるように制御し、充放電切替手段１２は補助電源１０を充電器１４とヒータ５に切替接続する。
【００２２】
充放電切替手段１２により補助電源１０が充電器１４に接続された時には充電器１４は商用電源からの交流電力を直流電力に変換して補助電源１０に供給することにより補助電源１０を充電し、充放電切替手段１２により補助電源１０がヒータ５に接続された時には補助電源１０からヒータ５へ電力が供給される。これにより、所定時間の間だけでも主電源９及び補助電源１０の両方からの電力を加熱手段１３に供給することで主電源９による最大供給電力を上回る電力を加熱手段１３に供給することが可能となる。
また、充放電切替手段１２は上記雰囲気温度検知手段からの検知信号により雰囲気温度検知手段の検知温度に基づいて後述のように補助電源１０からヒータ５への電力供給を制御する。
【００２３】
図３は本実施形態１の定着装置の定着温度−時間の関係を示す。
本実施形態１の定着装置は、電源が投入された直後の立上がり時には、制御部１１が主電源９からの電力をヒータ４へ供給してヒ−タ４を点灯させると同時に、充放電切替手段１２が補助電源１０をヒータ５に接続することにより補助電源１０からヒータ５へ電力が供給されてヒ−タ５が点灯する。したがって、ヒ−タ４、５が定着ロ−ラ１を加熱し、定着ロ−ラ１の表面温度が上昇する。
【００２４】
定着ロ−ラ１の表面温度が画像形成開始温度まで達すると、画像形成装置本体が画像形成を開始する。充放電切替手段１２は、温度検知手段６からの検知信号により温度検知手段６の検知温度が画像形成開始温度まで達すると、補助電源１０を充電器１４に接続する。よって、画像形成開始直後はヒ−タ４のみが点灯し、制御部１１は主電源９からヒータ４への電力供給量を定着ロ−ラ１の表面温度が定着可能な設定温度になるように制御する。
【００２５】
定着ロ−ラ１の表面は画像形成装置本体で記録材７上に形成されたトナー像８を記録材７に定着させる際に記録材７及びトナ−８により熱を奪われ、定着ロ−ラ１の表面温度が降下する。
一方、充放電切替手段１２は、上記雰囲気温度検知手段からの検知信号により上記雰囲気温度検知手段の検知した雰囲気温度が常温（ｔ１）であれば、定着可能な下限温度を常温（ｔ１）での定着性を満足する所定の下限温度ＴＡとし、温度検知手段６からの検知信号により温度検知手段６の検知した定着ロ−ラ１の表面温度がＴＡ以下になると、補助電源１０をヒータ５に切替接続して補助電源１０からヒータ５へ電力を供給させることでヒ−タ５を点灯させ、ヒ−タ４、５で定着ローラ１を加熱させる。従って、定着ローラ１の表面温度は図３の点線のように上昇する。
【００２６】
また、充放電切替手段１２は、上記雰囲気温度検知手段からの検知信号により上記雰囲気温度検知手段の検知した雰囲気温度が低温ｔ２（ｔ１＞ｔ２）になると、定着可能な下限温度を低温ｔ２での定着性を満足する所定の下限温度ＴＢ（ＴＡ＜ＴＢ）に上昇させ、温度検知手段６からの検知信号により温度検知手段６の検知した定着ロ−ラ１の表面温度がＴＢ以下になると、補助電源１０をヒータ５に切替接続して補助電源１０からヒータ５へ電力を供給させることでヒ−タ５を点灯させ、ヒ−タ４、５で定着ローラ１を加熱させる。従って、定着ローラ１の表面温度は図３の実線のように上昇する。この場合、上記雰囲気温度検知手段の検知温度が低いほど補助電源１０からヒ−タ５への電力供給量を大きくするように補助電源１０からヒ−タ５への電力供給量を制御する制御部を設けてもよい。
【００２７】
本実施形態１の加熱装置によれば、制御手段としての充放電切替手段１２は、雰囲気温度検知手段の検知温度に基づき補助電源１０から加熱手段としてのヒ−タ５への電力供給を制御するので、雰囲気温度が低下しても被加熱体である定着ローラ１の温度が下限温度以下とならない。
【００２８】
また、本実施形態１の加熱装置によれば、制御手段としての充放電切替手段１２は、温度検知手段６の検知温度及び雰囲気温度検知手段の検知温度に基づき補助電源１０から加熱手段としてのヒ−タ５への電力供給を制御するので、雰囲気温度が低下しても被加熱体である定着ローラ１の温度が下限温度以下とならない。
【００２９】
また、本実施形態１の加熱装置によれば、制御手段としての充放電切替手段１２は、雰囲気温度検知手段の検知温度が低いほど補助電源１０から加熱手段としてのヒ−タ５への電力供給量を大きくすることにより、雰囲気温度が低下しても被加熱体である定着ローラ１の温度が下限温度以下とならない。
また、本実施形態１の定着装置によれば、上述のような加熱装置により定着部材としての定着ローラ１を加熱するので、雰囲気温度が低下しても定着不良が発生しなくなる。
【００３０】
本発明の実施形態２では、上記実施形態１において、定着ロ−ラ１の周速を周速変更手段により変更することが可能であり、充放電切替手段１２は上記周速変更手段から定着ロ−ラ１の周速を示す周速情報が入力される。充放電切替手段１２は、上記周速変更手段からの周速情報に基づいて、定着ロ−ラ１の周速が所定の周速Ｖ１である場合には、温度検知手段６からの検知信号により温度検知手段６の検知した定着ロ−ラ１の表面温度が周速Ｖ１での定着性を満足する所定の下限温度ＴＡ以下になると、補助電源１０をヒータ５に切替接続して補助電源１０からヒータ５へ電力を供給させることでヒ−タ５を点灯させ、ヒ−タ４、５で定着ローラ１を加熱させる。従って、定着ローラ１の表面温度は図３の点線のように上昇する。
【００３１】
また、充放電切替手段１２は、上記周速変更手段からの周速情報に基づいて、定着ロ−ラ１の周速がＶ２（Ｖ１＜Ｖ２）になった場合には、定着可能な下限温度を周速Ｖ２での定着性を満足する所定の下限温度ＴＢ（ＴＡ＜ＴＢ）に上昇させ、温度検知手段６からの検知信号により温度検知手段６の検知した定着ロ−ラ１の表面温度がＴＢ以下になると、補助電源１０をヒータ５に切替接続して補助電源１０からヒータ５へ電力を供給させることでヒ−タ５を点灯させ、ヒ−タ４、５で定着ローラ１を加熱させる。従って、定着ローラ１の表面温度は図３の実線のように上昇する。この場合、定着ロ−ラ１の回転速度が速いほど補助電源１０からヒ−タ５への電力供給量を大きくするように補助電源１０からヒ−タ５への電力供給量を制御する制御部を設けてもよい。
【００３２】
なお、充放電切替手段１２は、上記雰囲気温度検知手段の検知した雰囲気温度が常温（ｔ１）であっても定着ロ−ラ１の周速がＶ２になった場合には定着可能な下限温度を所定の下限温度ＴＢに上昇させ、定着ロ−ラ１の周速が所定の周速Ｖ１であっても雰囲気温度検知手段の検知した雰囲気温度が低温ｔ２になった場合には定着可能な下限温度を所定の下限温度ＴＢに上昇させる。
【００３３】
本実施形態２の加熱装置によれば、制御手段としての充放電切替手段１２は、被加熱体である定着ロ−ラ１の移動速度（回転速度）に基づき補助電源１０から加熱手段としてのヒ−タ５への電力供給を制御するので、雰囲気温度が低下しても被加熱体である定着ローラの温度が下限温度以下とならない。
【００３４】
また、本実施形態２の加熱装置によれば、制御手段としての充放電切替手段１２は、温度検知手段６の検知温度及び被加熱体である定着ロ−ラ１の移動速度に基づき補助電源１０から加熱手段としてのヒ−タ５への電力供給を制御するので、雰囲気温度が低下しても被加熱体である定着ローラの温度が下限温度以下とならない。
【００３５】
また、本実施形態２の加熱装置によれば、制御手段としての充放電切替手段１２は、被加熱体である定着ロ−ラ１の移動速度が速いほど補助電源１０から加熱手段としてのヒ−タ５への電力供給量を大きくすることにより、雰囲気温度が低下しても被加熱体である定着ローラの温度が下限温度以下とならない。
また、本実施形態２の定着装置によれば、上述のような加熱装置により定着部材としての定着ローラ１を加熱するので、雰囲気温度が低下しても定着不良が発生しなくなる。
【００３６】
図４は本発明の実施形態３における加熱装置を示す。この実施形態３では、上記実施形態２において、補助電源１０として接続を変更可能な複数のキャパシタ（コンデンサ）１０ａ，１０ｂ，１０ｃを用いている。上記充放電切替手段１２は、補助電源１０を充電器１４とヒータ５とに切替接続する充放電切替手段１２ａと、補助電源１０からヒータ５への電力供給を制御する制御部１２ｂとで構成される。
【００３７】
キャパシタ１０ａ，１０ｂ，１０ｃは補助電源１０からヒータ５への電力供給時には充放電切替手段１２とヒータ５との間に直列に接続されるが、このキャパシタ１０ａ，１０ｂ，１０ｃの接続をオン／オフさせる切替スィッチ１５ａ、１５ｂと、各キャパシタ１０ａ，１０ｂ，１０ｃと充電器１４との接続を切替える切替スィッチ１６、１７が設けられて各キャパシタ１０ａ，１０ｂ，１０ｃが別々に充電される。すなわち、充放電切替手段１２ａが補助電源１０を充電器１４に接続してキャパシタ１０ａ，１０ｂ，１０ｃを充電する時には、まず、切替スィッチ１５ａ、１５ｂがオフにされて切替スィッチ１６、１７がキャパシタ１０ａを充電器１４に接続するように切替えられることによりキャパシタ１０ａが充電器１４により充電される。
【００３８】
キャパシタ１０ａが完全に充電されると、切替スィッチ１６、１７がキャパシタ１０ｂを充電器１４に接続するように切替えられることによりキャパシタ１０ｂが充電器１４により充電される。キャパシタ１０ｂが完全に充電されると、切替スィッチ１６、１７がキャパシタ１０ｃを充電器１４に接続するように切替えられることによりキャパシタ１０ｃが充電器１４により充電される。
【００３９】
このように切替スィッチ１６、１７が順次に切替えられて全てのキャパシタ１０ａ，１０ｂ，１０ｃが完全に充電されると、切替スィッチ１５ａ、１５ｂがオンにされてキャパシタ１０ａ，１０ｂ，１０ｃが直列に接続される。キャパシタ１０ａ，１０ｂ，１０ｃからヒータ５への電力供給時には充放電切替手段１２がキャパシタ１０ａ，１０ｂ，１０ｃをヒータ５に接続し、キャパシタ１０ａ，１０ｂ，１０ｃからヒータ５へ電力が供給される。ここに、キャパシタは、数分程度の急速な充電が可能であり、寿命がほぼ無制限であって繰り返しの充放電による劣化も少ない。
【００４０】
制御部１２ｂは、スィッチ１８とＣＰＵ１９とを有し、キャパシタ１０ａ，１０ｂ，１０ｃからヒータ５への電力供給量を上記実施形態２と同様に制御する。すなわち、本実施形態３の定着装置の立上がり時には、充放電切替手段１２ａが補助電源１０をヒータ５側に切替えるとともに、ＣＰＵ１９がスィッチ１８をオンさせることによりキャパシタ１０ａ，１０ｂ，１０ｃからヒータ５へ電力が供給されてヒ−タ５が点灯する。
【００４１】
充放電切替手段１２ａは、温度検知手段６からの検知信号により温度検知手段６の検知温度が画像形成開始温度まで達すると、補助電源１０を充電器１４側に接続してキャパシタ１０ａ，１０ｂ，１０ｃを上述のように順次に充電させ、所定時間の経過後に全てのキャパシタ１０ａ，１０ｂ，１０ｃが完全に充電されると、補助電源１０をヒータ５側に切替える。
【００４２】
ＣＰＵ１９は、上記雰囲気温度検知手段からの検知信号により上記雰囲気温度検知手段の検知した雰囲気温度が常温（ｔ１）であることを検知し、上記周速変更手段からの周速情報より定着ロ−ラ１の周速が所定の周速Ｖ１であることを検知した場合、定着可能な下限温度を常温（ｔ１）及び周速Ｖ１での定着性を満足する所定の下限温度ＴＡとし、温度検知手段６からの検知信号より温度検知手段６の検知した定着ロ−ラ１の表面温度がＴＡ以下であることを検知すると、スィッチ１８をオンさせることによりキャパシタ１０ａ，１０ｂ，１０ｃからヒータ５へ電力を供給させてヒ−タ５を点灯させる。さらに、ＣＰＵ１９は、温度検知手段６からの検知信号より温度検知手段６の検知した定着ロ−ラ１の表面温度がＴＡより高い所定の温度に達したことを検知すると、スィッチ１８をオフさせてヒ−タ５を消灯させる。
【００４３】
また、ＣＰＵ１９は、上記雰囲気温度検知手段からの検知信号より雰囲気温度検知手段の検知した雰囲気温度が低温ｔ２になったことを検知するか、または、上記周速変更手段からの周速情報より定着ロ−ラ１の周速が所定の周速Ｖ２であることを検知すると、定着可能な下限温度を低温ｔ２または周速Ｖ２での定着性を満足する所定の下限温度ＴＢに上昇させ、温度検知手段６からの検知信号より温度検知手段６の検知した定着ロ−ラ１の表面温度がＴＢ以下になったことを検知すると、スィッチ１８をオンさせることによりキャパシタ１０ａ，１０ｂ，１０ｃからヒータ５へ電力を供給させてヒ−タ５を点灯させる。さらに、ＣＰＵ１９は、温度検知手段６からの検知信号により温度検知手段６の検知した定着ロ−ラ１の表面温度がＴＢより高い所定の温度に達すると、スィッチ１８をオフさせてヒ−タ５を消灯させる。
【００４４】
この実施形態３の加熱装置によれば、補助電源１０としてキャパシタを備えたので、補助電源の充電時間が短くて補助電源の寿命が長くなる。しかも、キャパシタ１０ａ，１０ｂ，１０ｃを順次に充電器１４に接続するので、低電圧の充電器１４を使用してキャパシタ１０ａ，１０ｂ，１０ｃを充電することができ、コストダウンを図ることができるとともに、加熱装置を小型化することができる。また、この実施形態３の定着装置によれば、上述のような加熱装置により定着部材としての定着ローラ１を加熱するので、補助電源１０としてキャパシタを備えたので、補助電源の充電時間が短くて補助電源の寿命が長くなる。
【００４５】
上記実施形態３ではキャパシタ１０ａ，１０ｂ，１０ｃを直列に接続して各キャパシタ１０ａ，１０ｂ，１０ｃを個々に充電したが、図５（ｂ）に示すようにヒ−タ５に電力を供給する時には直列に接続したキャパシタ１０ａ，１０ｂ，１０ｃ，１０ｄからヒ−タ５に電力を供給し、各キャパシタ１０ａ，１０ｂ，１０ｃ，１０ｄを充電する時には直列に接続したキャパシタ１０ａ，１０ｂと、直列に接続したキャパシタ１０ｃ，１０ｄを並列に接続して充電器１４によりキャパシタ１０ａ，１０ｂ，１０ｃ，１０ｄを充電するようにしてもよい。
【００４６】
このように複数のキャパシタ１０ａ，１０ｂ，１０ｃ，１０ｄを同時に充電することにより、各キャパシタ１０ａ，１０ｂ，１０ｃ，１０ｄの充電量のばらつきを低減することができる。また、各キャパシタ１０ａ，１０ｂ，１０ｃ，１０ｄが完全に充電される前にヒ−タ５に電力を供給する必要が生じた時に、各キャパシタ１０ａ，１０ｂ，１０ｃ，１０ｄの充電量のばらつきをとることができ、ヒ−タ５に安定して電力を供給することができる。なお、キャパシタ１０ａ，１０ｂ，１０ｃ，１０ｄの接続を切替える切替手段はヒ−タ５に電力を供給する時とキャパシタ１０ａ，１０ｂ，１０ｃ，１０ｄを充電する時とでキャパシタ１０ａ，１０ｂ，１０ｃ，１０ｄの接続を上述のように切替えるスィッチが用いられる。
【００４７】
また、図６（ａ）に示すように、２つの充電器１４ａ，１４ｂを設け、ヒ−タ５に充電する時には直列に接続したキャパシタ１０ａ，１０ｂと、直列に接続したキャパシタ１０ｃ，１０ｄとを充電器１４ａ，１４ｂにより個別に充電し、キャパシタ１０ａ，１０ｂ，１０ｃ，１０ｄからヒ−タ５に電力を供給する時には図６（ｂ）に示すように直列に接続したキャパシタ１０ａ，１０ｂと、直列に接続したキャパシタ１０ｃ，１０ｄとを直列に接続してキャパシタ１０ａ，１０ｂ，１０ｃ，１０ｄからヒ−タ５に電力を供給するようにしてもよい。このようにしても、キャパシタ１０ａ，１０ｂ，１０ｃ，１０ｄを充電する充電器を低電圧化することができる。この場合、キャパシタ１０ａ，１０ｂ，１０ｃ，１０ｄの接続を切替える切替手段はヒ−タ５に電力を供給する時とキャパシタ１０ａ，１０ｂ，１０ｃ，１０ｄを充電する時とでキャパシタ１０ａ，１０ｂ，１０ｃ，１０ｄの接続を上述のように切替えるスィッチが用いられる。
【００４８】
図７は本発明の実施形態４を示す。この実施形態４は電子写真方式の画像形成装置の一形態である。この画像形成装置２０は、像担持体としてのドラム状感光体２１と、この感光体２１を一様に帯電させる帯電装置２２と、感光体２１の回転方向について帯電装置２２より下流側に配置され、露光手段としての書込装置の一部を構成してレーザ光２３を感光体２１の表面に入射するミラー２４と、感光体２１の回転方向についてミラー２４より下流側に配置され、現像ローラ２５ａを有する現像装置２５と、感光体２１の回転方向について現像装置２５より下流側に配置された転写装置２６と、感光体２１の回転方向について転写装置２６より下流側に配置され、クリーニングブレード２７ａを有するクリーニング装置２７と、給紙装置２８及び定着装置２９とを有する。
【００４９】
給紙装置２８は、給紙トレイ３０と給紙コロ３１とを有し、給紙トレイ３０に収納されている記録材としての記録紙を給紙コロ３１により給紙する。給紙装置２８と転写装置２６との間には記録紙搬送路３２及びレジストローラ３３が設置されている。定着装置２９は、上記実施形態１〜３のいずれか１つが用いられる。
【００５０】
この実施形態４の画像形成装置にて画像形成を行う時には、感光体２１は、図示しない駆動部により回転駆動され、帯電装置２２により一様に帯電された後に書込装置から画像情報に応じて出射されるレーザ光２３がミラー２４を介して照射されることにより静電潜像が形成される。この感光体２１上の静電潜像は現像装置２５により現像されてトナー像となる。
【００５１】
一方、給紙トレイ３０に収納されている記録紙は、給紙コロ３１により給紙されて記録紙搬送路３２を通り、レジストローラ３３で一旦停止する。レジストローラ３３は感光体２１上のトナー像に合わせて記録紙を送り出し、この記録紙は感光体２１上のトナー像が転写装置２６により転写される。トナー像が転写された記録紙は、定着装置２９によりトナー像が定着され、外部へ画像形成物として排出される。また、感光体２１はトナー像転写後にクリーニング装置２７により残留トナーが除去されて次の画像形成に備える。
【００５２】
この実施形態４によれば、定着装置２９として上記実施形態１〜３のいずれか１つを有するので、雰囲気温度が低下しても定着不良が発生しなくなり、従って雰囲気温度が低下しても良好な画像が得られる。
【００５３】
なお、本発明は、上記実施形態に限定されるものではなく、例えば定着装置の加熱装置以外の加熱装置に適用することができる。また、本発明は、定着ベルトなどの定着部材を有する定着装置に適用することができ、複写機，プリンタ，ファクシミリ等の画像形成装置に適用することができる。
【００５４】
【発明の効果】
以上のように本発明によれば、雰囲気温度が低下しても被加熱体の温度が下限温度以下とならなず、補助電源の充電時間が短くて補助電源の寿命が長い加熱装置を提供することができる。
また、本発明によれば、雰囲気温度が低下しても定着不良が発生しない定着装置を提供することができる。
さらに、本発明によれば、雰囲気温度が低下しても良好な画像が得られる画像形成装置を提供することができる。
【図面の簡単な説明】
【図１】本発明の実施形態１における加熱装置の回路構成を示すブロック図である。
【図２】同実施形態１を示す側面図である。
【図３】同実施形態１の定着温度−時間の関係の例を示す図である。
【図４】本発明の実施形態３における加熱装置を示すブロック図である。
【図５】本発明の他の実施形態における加熱装置の一部を示すブロック図である。
【図６】本発明の別の実施形態における加熱装置の一部を示すブロック図である。
【図７】本発明の実施形態４を示す断面図である。
【符号の説明】
１      定着ロ−ラ
２      加圧ロ−ラ
３      定着ヒ−タ
４、５      ヒ−タ
６      温度検知手段
９      主電源
１０      補助電源
１１、１２ｂ      制御部
１２、１２ａ      充放電切替手段
１４、１４ａ、１４ｂ      充電器
１０ａ，１０ｂ，１０ｃ，１０ｄ      キャパシタ
１５ａ、１５ｂ、１６、１７      切替スィッチ
【図１】
2004259616.tif 000003
【図２】
2004259616.tif 000004
【図３】
2004259616.tif 000005
【図４】
2004259616.tif 000006
【図５】
2004259616.tif 000007
【図６】
2004259616.tif 000008
【図７】
2004259616.tif 000009